(57)【要約】【課題】  ランプの交換が容易な照明器具を提供する。【解決手段】  前面開口に透過ガラス２２等が固定された筒状の頭具２０と、ランプ５０を装着するソケット４０が取付けられたキャップ３０とが設けられて、上記キャップ３０を上記頭具２０の後面に着脱可能に固定する照明器具１０において、上記キャップ３０には上記頭具２０の後面に穿設されたガイド孔２４に挿入される複数本のガイドピン３４を設けるとともに、上記頭具２０には上記ガイド孔２４に挿入されたガイドピン３４の少なくとも１本を着脱可能に係止する係止具２８を設ける。【選択図】      図１
2005108577.tif 000002
【特許請求の範囲】
【請求項１】
前面開口に透過ガラス等が固定された筒状の頭具と、ランプを装着するソケットが取付けられたキャップとが設けられて、後面開口から頭具内にランプとソケットとを差し込んで、頭具の後面にキャップを着脱可能に固定する照明器具において、
上記キャップに、上記頭具の後面に穿設されたガイド孔に挿入される複数本のガイドピンが設けられるとともに、上記頭具に、上記ガイド孔に挿入されたガイドピンの少なくとも１本を着脱可能に係止する係止具が設けられていることを特徴とする照明器具。
【請求項２】
上記係止されるガイドピンに窪みが形成されるとともに、上記係止具は、上記窪みに嵌り込むバネ部材である請求項１記載の照明器具。
【発明の詳細な説明】
【技術分野】
【０００１】
本発明は、ランプの交換が容易な照明器具に関するものである。
【背景技術】
【０００２】
従来、反射傘の前方からソケットにランプを取付けたり、取外したりできる照明器具がある。例えば、特許文献１には、照明器具の外側灯体と反射傘とを着脱可能とし、ランプ交換時にはその反射傘を取外すことで容易にランプ交換を行うことができる発明が開示されている。
【０００３】
ところで、前面開口に透過ガラス等が固定された筒状の頭具と、ランプを装着するソケットが取付けられたキャップとが設けられて、後面開口から頭具内にランプとソケットとを差し込んで、頭具の後面にキャップを着脱可能に固定する照明器具である場合、キャップは、頭具にスクリュー式またはバヨネット式で着脱可能に固定する方法が採用されることになる。
【特許文献１】特開２００１−４３７２３号公報
【発明の開示】
【発明が解決しようとする課題】
【０００４】
しかしながら、上記のようなスクリュー式やバヨネット式では、簡単にキャップの着脱ができるものの、ソケットへ接続するためのコードがキャップを貫通しているため、キャップの着脱時にキャップを回転させるとそのコードを捩れさせてしまう問題があった。そして、キャップを頭具に取付けた後にコードの捩れがない状態を得るためには、予めコードにキャップの取付けのための回転方向と逆方向の捩りを生じさせておくか、あるいはキャップを取付けた後にコードのキャップ側ではない方の端部をキャップの取付けのための回転方向と同じ方向に捩る必要があった。
【０００５】
本発明は、このような事情に鑑み、キャップを貫通しているコードに捩りを生じさせることなく簡単にキャップを着脱することで、容易にランプの交換ができるようにすることを目的とする。
【課題を解決するための手段】
【０００６】
請求項１に係る発明は、前面開口に透過ガラス等が固定された筒状の頭具と、ランプを装着するソケットが取付けられたキャップとが設けられて、後面開口から頭具内にランプとソケットとを差し込んで、頭具の後面にキャップを着脱可能に固定する照明器具において、上記キャップに、上記頭具の後面に穿設されたガイド孔に挿入される複数本のガイドピンが設けられるとともに、上記頭具に、上記ガイド孔に挿入されたガイドピンの少なくとも１本を着脱可能に係止する係止具が設けられていることを特徴とする照明器具である。
【０００７】
請求項２に係る発明は、上記係止されるガイドピンに窪みが形成されるとともに、上記係止具は、上記窪みに嵌り込むバネ部材である請求項１記載の照明器具である。
【発明の効果】
【０００８】
請求項１に係る発明によれば、上記キャップには上記頭具の後面に穿設されたガイド孔に挿入される複数本のガイドピンが設けられるとともに、上記頭具には上記ガイド孔に挿入されたガイドピンの少なくとも１本を着脱可能に係止する係止具が設けられていることにより、上記ガイドピンを上記ガイド孔に抜き差しするだけの簡単な作業でキャップを頭具に着脱することができる。しかも、キャップを着脱する際にはガイドピン及びガイド孔によってその抜き差しする方向が規制されるため、キャップを回転させることなく直線的に頭具に着脱することができる。よって、キャップを貫通したコードがある場合には、キャップを着脱してもコードの捩れを生じることなく、容易にランプの交換を行うことができる。
【０００９】
請求項２に係る発明によれば、ガイドピンに窪みが形成され、係止具をその窪みに嵌り込むバネ部材とすることにより、バネ部材のバネ力を利用して容易に上記ガイドピンと上記係止具との着脱可能な係止状態を得ることができる。
【発明を実施するための最良の形態】
【００１０】
本発明の実施の形態を図面に基づいて説明する。
【００１１】
図１は、本発明の照明器具の一例を示す断面図である。照明器具１０は、前面開口に透過ガラス２２等が固定された筒状の頭具２０と、ランプ５０を装着するソケット４０が中間部材４２を介して取付けられたキャップ３０とを備えている。そして、このキャップ３０は、頭具２０の後面に着脱可能に固定されている。この着脱可能な固定構造は、後に詳述する。
【００１２】
上記頭具２０内には、反射鏡２６や遮光板２７も配設されているが、反射鏡２６の中心部にはランプ５０が挿通可能な開口２６ａが形成されており、また遮光板２７の後面側にも開口２７ａが形成されているため、ランプ５０とソケット４０を頭具２０後面開口から差し込むことできるようになっている。
【００１３】
キャップ３０には、図２と図３に示すように貫通孔３２が形成され、この貫通孔３２を通じてコード６０が頭具２０内のソケット４０に接続されている。また、このキャップ３０は熱伝導率の高いアルミ部材で作られており、更に放熱性を高めるためにキャップ３０の後面には放熱フィン３０ａが放射状に設けられている。
【００１４】
次に、頭具２０とキャップ３０との着脱可能な固定構造を説明するために、図３に各々を分解した状態を示す。本図において、頭具２０とキャップ３０以外のランプ等の部品は、頭具２０とキャップ３０とを固定する構造と関与しないため、その作図を省略する。
【００１５】
頭具２０の後面には、ガイド孔２４が円周上等角度間隔で３箇所に穿設されている。また、キャップ３０には、上記ガイド孔２４にそれぞれ挿入されるガイドピン３４が計３本設けられている。そして、このガイドピン３４が上記ガイド孔２４に挿入されることで、頭具２０とキャップ３０との相互間の位置決めが行われる。
【００１６】
上記ガイドピン３４のうち少なくとも１本には、図４（ａ）に示すように、先端側の周方向に窪み３４ａが形成されている。このような窪み３４ａが形成されたガイドピン３４をキャップ３０に設ける場合には、ガイドピン３４とキャップ３０を別々に製作し、キャップ３０にネジ孔を設け、ガイドピン３４の取付け側の端部を雄ネジとしてキャップ３０に取付けることで、容易に窪み３４ａが形成されたガイドピン３４をキャップ３０に設けることができる。
【００１７】
頭具２０には、上記窪み３４ａに嵌り込む凸部２８ａを有するバネ部材２８がビス２８ｂで固定されている。このバネ部材２８は板バネとなっており、ガイドピン３４をガイド孔２４に差し込むと、ガイドピン３４の先端部が上記凸部２８ａの位置を通過する際には、その先端部によって押し広げられるように（図４では下側に）弾性変形する。そして、ガイドピン３４の先端部が上記凸部２８ａの位置を通過し、上記窪み３４ａが上記凸部２８ａの位置まで来ると、その復元力により上記凸部２８ａは上記窪み３４ａに嵌り込んで上記ガイドピン３４を係止する（図４（ｂ）参照）。
【００１８】
このようにバネ部材２８のバネ力によって、ガイドピン３４を係止しているため、ガイドピン３４を多少の力をこめて抜き差しするだけで、ガイドピン３４を頭具２０に着脱することができる。よって、ガイドピン３４が設けられたキャップ３０は、頭具２０に着脱可能に固定される。しかも、キャップ３０を着脱する際にはガイドピン３４及びガイド２４孔によってその抜き差しする方向が規制されるため、キャップ３０を回転させることなく直線的に頭具２０に着脱することができる。よって、キャップ３０を貫通したコード６０がある場合には、キャップ３０を着脱してもコード６０の捩れを生じることなく、容易にランプ５０の交換を行うことができる。
【００１９】
本実施例では、ガイドピン３４をバネ部材２８で係止する例を示したが、必ずしも図４に示すような板バネである必要もなく、プランジャ式の係止具であってもかまわない。
【００２０】
また、キャップ３０はアルミ部材である必要もなく、照明器具１０が通気性の良い場所に設置される場合等はキャップ３０をプラスチック部材で製作してもよい。
【００２１】
本発明の照明器具１０は、図５に示すように、天井６０から吊り下げて、スポットライトとして使用することも可能であるし、図６に示すように、天井６０または壁に直接埋め込んで使用することも可能である。
【図面の簡単な説明】
【００２２】
【図１】本発明の照明器具の一例を示す側面断面図である。
【図２】本発明の上記照明器具の斜視図である。
【図３】本発明にかかる頭具とキャップとの固定構造を示す分解斜視図である。
【図４】（ａ）（ｂ）は、本発明にかかるガイドピントとバネ部材との係止状態を示す断面図である。
【図５】本発明の照明器具を天井に吊るした例を示す断面図である。
【図６】本発明の照明器具を天井または壁に埋め込んだ例を示す断面図である。
【符号の説明】
【００２３】
１０  照明器具
２０  頭具
２２  透過ガラス
２４  ガイド孔
２８  バネ部材（係止具）
３０  キャップ
３４  ガイドピン
３４ａ  窪み
４０  ソケット
５０  ランプ
【図１】
2005108577.tif 000003
【図２】
2005108577.tif 000004
【図３】
2005108577.tif 000005
【図４】
2005108577.tif 000006
【図５】
2005108577.tif 000007
【図６】
2005108577.tif 000008